(57)【特許請求の範囲】
【請求項１】
表面側に位置する液透過性の表面シートと、その下方に位置する吸収層と、裏面側への液の浸出を防止する防漏シートとを有し、前記表面シートと前記吸収層とが重ねられている部分である受液部が、所定面積の広さで設けられている吸収性物品において、
前記受液部に与えられた液が前記受液部で広がる度合いを確認する基準マークが、前記受液部の表面に設けられており、
前記基準マークは、前記吸収層と前記表面シートとを圧縮して形成した連続または不連続の輪郭線を有しており、前記輪郭線は、前記受液部の表面で所定の面積を囲むように形成され、この輪郭線は、内側の輪郭線の外側に間隔を空けて外側に輪郭線が位置するように少なくとも２つ形成されていることを特徴とする吸収性物品。
【請求項２】
前記基準マークは、前記受液部の中心部を囲む内側の輪郭線と、この内側の輪郭線の外側に形成された外側の輪郭線とを有している請求項１記載の吸収性物品。
【請求項３】
前記受液部の表面には、内側の輪郭線から外側の輪郭線までの各輪郭線の等級を示す数字、文字または記号が付されている請求項１または２記載の吸収性物品。
【請求項４】
最も内側に位置する前記輪郭線で囲まれた領域の前記吸収層の密度が、この輪郭線の外側での吸収層の密度よりも高い請求項１ないし３のいずれかに記載の吸収性物品。
【請求項５】
表面側に位置する液透過性の表面シートと、その下方に位置する吸収層と、裏面側への液の浸出を防止する防漏シートとを有し、前記表面シートと前記吸収層とを含む受液部が所定面積の広さで設けられている吸収性物品を少なくとも１つ収納した収納体において、
請求項１ないし請求項４のいずれかに記載の吸収性物品を用いたときに前記基準マークで確認できる液の広がりの度合いと、この収納体に収納されている吸収性物品の前記受液部の液吸収能力との関係を示す識別表示が設けられていることを特徴とする吸収性物品の収納体。
【発明の詳細な説明】
【０００１】
【発明の属する技術分野】
本発明は、排泄液の量と液の吸収能力との関係を認識可能な吸収性物品、および前記関係を利用して最適な製品を選択できるようにした吸収性物品の収納体に関する。
【０００２】
【従来の技術】
人の体から排泄される排泄液を吸収する吸収性物品として、生理用ナプキン、おりもの吸収シート、失禁患者用の尿取りパッド、使い捨ておむつなどが存在している。この種の吸収性物品は、吸収層の表面に液透過性の表面シートが設けられ、前記表面シートに与えられた排泄液が前記吸収層に吸収されて保持されるようになっている。また、前記吸収性物品は、吸収層の大きさや厚みの相違するものが多種類そろえられており、排泄液の排泄の程度に応じていずれかのサイズのものを選択して使用できるようになっている。
【０００３】
例えば生理用ナプキンは、吸収層の縦方向の長さの違いに応じて「小」、「中」、「大」などのサイズ別に別れており、さらに吸収層の厚みの違いに応じて「スリム」「普通」「厚」などに細分化されている。女性の生理時の経血の排泄量は、月経サイクルや個人の体質や体型などによって、そのときどきで相違する。使用者は個人の体質や月経サイクル、あるいは着用時間に合わせて、複数種の製品の中から使用に適するものを選択して使用している。
【０００４】
また、おりもの吸収シート、尿取りパッド、使い捨ておむつを着用する使用者も、年齢や体型または着用時の体調などにより排泄量が相違するため、そのときの使用に適したものを選択している。
【０００５】
【発明が解決しようとする課題】
前記のように、吸収性物品の製品形態としては、前記のように吸収層の大きさや厚さなどを変えて液吸収能力を相違させたものが複数種類用意されているが、実際の使用者は、使用するのに適した製品を選択する際の明確な基準を有していないのが一般的である。
【０００６】
例えば、生理用ナプキンの使用者は、そのときに使用しようとする製品のうちのどのグレードのものが最適であるのか購入時や使用時に迷うことがある。また一般に、生理用ナプキンからの経血の横洩れの不安があるために、必要以上に大きく、または厚い吸収層を有する生理用ナプキンを選択して使用しがちである。その結果、過度に大きな生理用ナプキンを着用することになって、着用状態での身体の動きを不必要に阻害しやすい。
【０００７】
また、これまで使用していた生理用ナプキンが体質や体型に合わず、別の種類の製品に変えたい場合に、それまで使用してきた生理用ナプキンの吸収能力と、新たに使用しようとする生理用ナプキンの吸収能力との関係が解らず、新たに使用しようとする生理用ナプキンのどのグレードを使用すべきか迷う場合がある。
【０００８】
これは、おりもの吸収シート、失禁患者用の尿取りパッド、使い捨ておむつの使用に際しても同じであり、体調等に適した液吸収能力を有する吸収性物品を選択するのが困難であり、その結果、過度に大きい製品を購入することになったり、または他の製品への変更の際に適切に製品を選択できない、という同様の問題が生じる。
【０００９】
本発明は上記課題を解決するものであり、着用後の液の吸収および拡散程度を直ちに理解でき、その後の製品の選択を容易にした吸収性物品、および前記吸収性物品を使用した結果の拡散程度を参照して、製品の適切な選択ができる吸収性物品の収納体を提供することを目的としている。
【００１０】
【課題を解決するための手段】
本発明は、表面側に位置する液透過性の表面シートと、その下方に位置する吸収層と、裏面側への液の浸出を防止する防漏シートとを有し、前記表面シートと前記吸収層とが重ねられている部分である受液部が、所定面積の広さで設けられている吸収性物品において、
前記受液部に与えられた液が前記受液部で広がる度合いを確認する基準マークが、前記受液部の表面に設けられており、
前記基準マークは、前記吸収層と前記表面シートとを圧縮して形成した連続または不連続の輪郭線を有しており、前記輪郭線は、前記受液部の表面で所定の面積を囲むように形成され、この輪郭線は、内側の輪郭線の外側に間隔を空けて外側に輪郭線が位置するように少なくとも２つ形成されていることを特徴とするものである。
【００１１】
本発明の吸収性物品は、着用後に液の拡散状態と前記基準マークとを対比することにより吸収された液の拡散の度合いを知ることができる。これにより、体調と排泄量との関係や着用時間と排泄量との関係を知ることができる。例えば生理用ナプキンの場合に、月経サイクルや個人の体質および体調と、排泄液の量との関係、あるいは着用時間と排泄液の量との関係などを知ることができる。これにより体調管理や、適正な着用時間の設定などが可能になるとともに、次に同じ体調の際に、吸収性物品を選択するときの基準とすることができる。
【００１２】
例えば、前記基準マークは、前記受液部の中心部を囲む内側の輪郭線と、この内側の輪郭線の外側に形成された外側の輪郭線とを有しているものが好ましい。
【００１３】
前記基準マークが複数段に設けられていることによって、吸収性物品を着用した後の排泄液の量を段階的な基準で認識できる。
【００１５】
前記基準マークが輪郭線であるので、排泄液が吸収性物品に吸収されて拡散するときの拡散面積から液の排泄量を知ることが可能となる。
【００１６】
また、前記受液部の表面には、内側の輪郭線から外側の輪郭線までの各輪郭線の等級を示す数字、文字または記号が付されているものであってもよい。
【００１７】
前記数字、文字、記号などが設けられていると、着用後の液の拡散状態から、着用時間内での排泄液の量を等級として認識できる。
【００２０】
さらに、最も内側に位置する前記輪郭線で囲まれた領域の前記吸収層の密度が、この輪郭線の外側での吸収層の密度よりも高いことが好ましい。
【００２１】
吸収体の密度を前記のように設定していると、受液部において前記基準マークで区分されている中央部分で液が充分に拡散してから前記基準マークを超えて、その外側の領域に液が拡散するようになり、前記基準マークを基準として液の拡散度を識別しやすくなる。
【００２６】
さらに、本発明は、表面側に位置する液透過性の表面シートと、その下方に位置する吸収層と、裏面側への液の浸出を防止する防漏シートとを有し、前記表面シートと前記吸収層とを含む受液部が所定面積の広さで設けられている吸収性物品を少なくとも１つ収納した収納体において、
前記いずれかに記載の吸収性物品を用いたときに前記基準マークで確認できる液の拡散の度合いと、この収納体に収納されている吸収性物品の前記受液部の液吸収能力との関係を示す識別表示が設けられていることを特徴とするものである。
【００２７】
前記収納体を用いると、前記の基準マークを有する吸収性物品または前記確認シートを用いて、液の拡散度を認識しておけば、次に同じ体調のときに使用する吸収性物品を、前記収納体の前記識別表示を見て容易に選択できるようになる。
【００２８】
【発明の実施の形態】
図１ないし図５は本発明の第１の実施の形態を示すものであり、吸収性物品が生理用ナプキンである場合を示している。図１は吸収層の縦方向の長さが「中」で、吸収層の厚みが「普通」である普通サイズの生理用ナプキンを示す平面図、図２は図１のＩＩ−ＩＩ線の断面図、図３はさらに好ましい構造を示す前記ＩＩ−ＩＩ線の断面図、図４は吸収層の長さが「大」で、吸収層の厚みが「普通」である大型サイズの生理用ナプキンを示す平面図、図５は、生理用ナプキンの識別表示を有する収納体の斜視図、図６は基準マークによる拡散度と生理用ナプキンの種別（グレード）との関係を表した表示部の説明図である。
【００２９】
図１に示す普通サイズの生理用ナプキン１、および図４に示す大型サイズの生理用ナプキン３１は、生理中の女性が下着（外部装着体）のクロッチ部の内面に装着して使用するものである。図１に示す生理用ナプキン１や、図４に示す生理用ナプキン３１は、着用者の月経サイクルや着用時間の長短に合わせて選択して使用される。そして前記図１に示す生理用ナプキン１と、図４に示す生理用ナプキン３１のそれぞれの受液部には、統一された基準に基づいた基準マークおよび等級表示が付されている。
【００３０】
なお、図示の都合上、図１に示す生理用ナプキン１と、図４に示す生理用ナプキン３１は図面上での寸法の差が明確ではないが、実際は、図４に示す生理用ナプキン３１の外形寸法が、図１に示す生理用ナプキン１の外形寸法よりもかなり大きなものとなっている。
【００３１】
図１に示す普通サイズの生理用ナプキン１の平面形状は長円形状であり、縦方向（Ｙ方向）の図示上方が前端側、図示下方が身体の臀部側に当てられる後端側である。前記生理用ナプキン１を縦方向（Ｙ方向）に二分する中心よりも前端側に片寄った位置には、左右両側へ向けて延出するウイング部２，２が形成されている。
【００３２】
図２に示すように、この生理用ナプキン１は、液不透過性の防漏シート３と、液透過性の表面シート４を有している。前記防漏シート３は、図１に示す生理用ナプキン１の平面形状と同じ形状であり、全体が長円形状で、左右両側部３ａ，３ａが前記ウイング部２，２を形成する突出部を形成する形状である。
【００３３】
前記表面シート４は、側縁部４ａと側縁部４ａとの間隔すなわち幅寸法が、縦方向に渡って一定である。表面シート４は、生理用ナプキン１の縦方向の全長に渡って設けられており、表面シート４の前縁部４ｂおよび後縁部４ｃは、前記防漏シート３の前縁部および後縁部と一致している。
【００３４】
前記防漏シート３と前記表面シート４との間に吸収層５が設けられている。前記吸収層５は所定の厚みを有しており、左右両側縁部５ａ，５ａは前記表面シート４の左右両側縁部４ａ，４ａよりも内側に位置している。図１に示すように、前記吸収層５の前縁部５ｂと後縁部５ｃは湾曲形状であり、前記前縁部５ｂは、防漏シート３の前縁部および表面シート４の前縁部４ｂよりも内側に位置し、前記後縁部５ｃは、防漏シート３の後縁部および表面シート４の後縁部４ｃよりも内側に位置している。
【００３５】
生理用ナプキン１の左右両側には液不透過性のカバーシート６，６が設けられている。両カバーシート６，６は、吸収層５の左右両側縁部５ａ，５ａおよび表面シート４の左右両側縁部４ａ，４ａよりも側方へ延出している。そして、前記カバーシート６，６の左右両側縁部６ａ，６ａは、前記防漏シート３の左右両側縁部３ａ，３ａと一致しており、且つ前記ウイング部２，２を形成する突出部を形成している。
【００３６】
前記両カバーシート６，６は、前記吸収層５および表面シート４の上にまで延びている。カバーシート６，６の対向縁部６ｂ，６ｂは、前記吸収層５の左右両側縁部５ａ，５ａよりもやや内側に位置しており、縦方向に延びる中央線Ｏ−Ｏから左右へそれぞれ等距離の位置にある。
【００３７】
前記防漏シート３と吸収層５はホットメルト型接着剤などで接着されており、前記吸収層５と表面シート４は、表面シート４の液透過機能を阻害しないように塗布されたホットメルト型接着剤などで接着されている。また、前記カバーシート６，６は、前記防漏シート３および表面シート４の表面にホットメルト型接着剤などで接着されている。
【００３８】
図２に示すように、前記防漏シート３の裏面側外面には、下着のクロッチ部内面に固着させるための感圧接着剤層７，７が形成されており、着用前の状態では、この感圧接着剤層７，７が離型シート８により覆われている。
【００３９】
この生理用ナプキン１は、表面シート４が現れている側が表面側で、前記防漏シート３が現れている側が裏面側である。この実施の形態では、表面シート４とその下の吸収層５で構成された液を吸収可能な部分が受液部１０であり、また前記受液部１０は、前記カバーシート６，６の対向縁部６ｂと６ｂとで挟まれた幅寸法Ｗの範囲内で且つ前記吸収層５の前縁部５ｂと後縁部５ｃとで囲まれた領域に位置している部分を意味する。
【００４０】
すなわち本発明での受液部１０とは、生理用ナプキン１の表面に与えられた排泄液が、表面シート４を透過して吸収層５に吸収される部分を意味している。したがって、例えば前記表面側において、前記中心線Ｏ−Ｏから左右に所定距離離れた位置に、疎水性シートで形成されて表面側に立ち上がる一対の防漏壁が形成されている場合には、防漏壁と防漏壁とで挟まれた領域で且つ表面シート４と吸収層５が重ねられている部分が前記受液部１０である。
【００４１】
図１に示すように、前記受液部１０では、表面側から目視可能な基準マーク１２，１４，１６が設けられている。前記受液部１０に与えられた排泄液すなわち経血は、前記表面シート４を透過して吸収層５に吸収され、且つ表面シート４および吸収層５内を平面的に拡散していくが、生理用ナプキン１を使用した後に、受液部１０で拡散した経血と前記基準マーク１２，１４，１６とを対比することにより、受液部１０での液の拡散の度合いを等級として認識できる。
【００４２】
第１の基準マーク１２は連続した輪郭線であり、中心線Ｏ−Ｏに対して左右等距離に膨らむ所定面積の第１の拡散領域１３を囲むように形成されている。第２の基準マーク１４も連続する輪郭線であり、前記第１の基準マーク１２から外側に離れた位置で前記第１の基準マーク１２を囲むように形成されている。前記第１の基準マーク１２と第２の基準マーク１４との間に挟まれた領域が第２の拡散領域１５である。
【００４３】
同様に、第３の基準マーク１６は、前記第２の基準マーク１４の外側に離れた位置で前記第２の基準マーク１４を囲むように形成された連続する輪郭線である。そして、前記第２の基準マーク１４と前記第３の基準マーク１６とで挟まれた領域が第３の拡散領域１７である。また前記第３の基準マーク１６を超えた外側は外側拡散領域１８である。
【００４４】
連続する輪郭線である前記第１の基準マーク１２、前記第２の基準マーク１４および前記第３の基準マーク１６は、全て中心線Ｏ−Ｏ上に位置する任意の中心点Ｏ１を囲むように形成されている。また、前記第１の基準マーク１２、前記第２の基準マーク１４および前記第３の基準マーク１６は、前記中心点Ｏ１から受液部１０の外縁に向かって間隔を開けて形成されている。なお、前記中心点Ｏ１は着用者の排泄部の中心に一致するように設定されている。
【００４５】
また前記受液部１０には、第１の拡散領域１３内で経血が拡散したときの拡散度を意味する第１の等級表示２１が、数字の「１」で示されている。また、経血が前記第１の基準マーク１２を超えて第２の拡散領域１５まで拡散したときの拡散度を意味する第２の等級表示２２が、数字の「２」で示されている。同様に、経血が第２の基準マーク１４を越えて第３の拡散領域１７まで拡散したときの拡散度を意味する第３の等級表示２３が、数字の「３」で示されている。
【００４６】
前記基準マーク１２，１４，１６および等級表示２１，２２，２３は、生理用ナプキン１を表面側から見たときに目視可能であるならばどのような構造によって形成されてもよいが、この第１の実施の形態では、図２に示すように、前記基準マーク１２，１４，１６および前記等級表示２１，２２，２３が、前記吸収層５および表面シート４を部分的に加熱し且つ加圧した圧搾部として形成されている。この圧搾部は、前記基準マーク１２，１４，１６および等級表示２１，２２，２３のパターンの突出部が形成されたエンボスロールを用い、これを１２０〜１４０℃に加熱して、生理用ナプキン１を加圧力１４７〜１９６Ｎで加圧することにより形成することができる。
【００４７】
図１に示す生理用ナプキン１を着用すると、受液部１０に与えられた経血が表面シート４を透過して吸収層５に与えられ、経血が表面シート４および吸収層５内を拡散する。生理用ナプキン１を使用した後に、受液部１０を目視することにより、受液部１０内での経血の拡散の度合いを知ることができる。経血が第１の拡散領域１３に与えられて第１の基準マーク１２付近まで拡散していたとき、拡散の度合いは「１」である。また経血が第２の拡散領域１５に至り、第２の基準マーク１４の付近まで拡散していたとき、拡散の度合いは「２」である。同様に、経血が第３の拡散領域１７に至り、第３の基準マーク１６付近まで拡散していたとき、拡散の度合いは「３」である。
【００４８】
さらに、経血が第３の基準マーク１６を越えて外側拡散領域１８に拡散していたら拡散の度合いが「３」を越えていると認識できる。このとき、経血がカバーシート６，６の対向縁部６ｂ，６ｂまで至らない程度の拡散であるならば、拡散度を「４」程度と推定することは一応可能である。
【００４９】
図２に示すように、この実施の形態では、前記各基準マーク１２，１４，１６が連続する輪郭線であり、且つこの輪郭線の部分で受液部１０が加圧されて圧搾部が形成されているため、前記各基準マーク１２，１４，１６が形成されている部分では、吸収層５の密度が他の領域よりも高くなっている。そのため第１の拡散領域１３に与えられた経血が周囲に拡散し第１の基準マーク１２の位置へ至ったときに、経血は、吸収層５の密度が高くなっている前記第１の基準マーク１２に沿って浸透しやすくなる。よって、第１の拡散領域１３の全域に経血が拡散するに至る前に、経血が第１の基準マーク１２を越えて第２の拡散領域１５に拡散する現象が生じにくくなる。これは第２の基準マーク１４および第３の基準マーク１６が形成されている部分においても同様である。
【００５０】
このように、経血が第１の拡散領域１３内を拡散し終わった後に第２の拡散領域１５へ移行し、第２の拡散領域１５を拡散し終わった後に第３の拡散領域１７に至るようになると、前記各基準マーク１２，１４，１６により、経血の拡散度を正確に認識できるようになる。
【００５１】
図３は、生理用ナプキン１の断面図の別の構造例を示している。
図３に示すものでは、吸収層が、下層５Ａ、中層５Ｂ、上層５Ｃの３層構造である。第１の基準マーク１２で囲まれた第１の拡散領域１３は、吸収層が３層構造で、第２の基準マーク１４で囲まれた第２の拡散領域１５は吸収層が２層構造、第３の基準マーク１６で囲まれた第３の拡散領域１７は吸収層が１層構造である。
【００５２】
吸収層を図３に示すような３層構造とし、前記基準マーク１２，１４，１６および等級表示２１，２２，２３を形成するときに、吸収層全体を加熱し加圧することによって、吸収層の密度を第１の拡散領域１３＞第２の拡散領域１５＞第３の拡散領域１７となるように設定できる。吸収層の密度を前記の順に設定すると、経血が第１の拡散領域１３内で充分に拡散し、第１の拡散領域１３で吸収層が飽和状態になってから、第２の拡散領域１５に経血が移動するようになる。そして第１の基準マーク１２を越えて拡散した経血が第２の拡散領域１５で飽和状態になってから、経血が第３の拡散領域１７に至るようになる。よって、前記基準マークを用いた経血の拡散の度合いを正確に把握しやすくなる。
【００５３】
また、図３に示すように吸収層を積層構造にすると、単位面積あたりの液の吸収容量を、第１の拡散領域１３＞第２の拡散領域１５＞第３の拡散領域１７の順に設定できるようになる。このようにすると、第１の拡散領域１３で経血が飽和するまでの時間が長くなるため、第１の拡散領域１３の面積を小さくすることが可能になる。よって限られた面積の受液部１０内に、多段階の基準マークを配置しやすくなる。
【００５４】
前記生理用ナプキン１を形成する各素材の好ましい例を説明する。
前記防漏シート１１およびカバーシート６は、液不透過性シートであり、例えばＰＥ（ポリエチレン）、ＰＰ（ポリプロピレン）、ＰＥＴ（ポリエチレンテレフタレート）およびＥＶＡ（エチレン・酢酸ビニル共重合体）のうちの１種または２種以上を組合わせて得られる樹脂フィルム、または前記樹脂フィルムにフィラー等を添加し、延伸して微細な孔を形成して透湿性を付与したものを用いることができる。あるいは疎水性の不織布、または撥水処理した不織布を用いることができる。
【００５５】
前記表面シート１２は液透過性であるとともに、吸収層５に吸収された経血内で拡散した経血を透過できるものが好ましい。この条件に適合する表面シート１２としては、例えば鞘部がポリエチレン、芯部がポリエステルの芯鞘構造の複合合成繊維で形成されたサーマルボンド不織布であり、目付けが２５ｇ／ｍ2程度のものが使用可能である。または、ＰＥ、ＰＰ、ＰＥＴおよびＥＶＡから選択される１種または２種以上を組合わせて得られる樹脂フィルムに液透過孔を多数形成した透液性フィルムで形成することもできる。前記フィルムに白濁色を付するための無機フィラーが含まれていることが好ましいが、この場合に前記液透過孔を透視することで、吸収層５での経血の拡散状態を知ることができる。また前記フィラーの含有量を調節して、前記フィルムの白濁状態を、吸収層５での経血の拡散状態を目視できる程度に設定してもよい。
【００５６】
また、吸収層５、前記下層５Ａ、中層５Ｂ、上層５Ｃは、パルプを主体とし、これに高吸収性ポリマーが分散して含まれたもので、吸収層全体が親水性のティッシュで包まれたものが使用される。
【００５７】
図４に示す大型サイズの生理用ナプキン３１は、後方部分３１Ａ（図示下側の部分）が左右両側に広がって、前記後方部分３１Ａが臀部を広く覆うことができるいわゆるヒップガードとして機能している。また、縦方向を二分する中心よりも前方で、左右両側に外側へ突出するウイング部３２，３２が形成されている。
【００５８】
図４の生理用ナプキン３１の断面での構造は図２および図３に示すのとほぼ同じであり、この生理用ナプキン３１は、防漏シートと、液透過性の表面シート３４との間に吸収層３５が挟まれている。表面側の左右両側部には、液不透過性のカバーシート３６，３６が設けられている。前記各シートの接合構造は図１ないし図３に示す普通サイズと同じである。
【００５９】
前記カバーシート３６，３６の対向縁部３６ｂと対向縁部３６ｂとで挟まれた領域で、且つ吸収層３５の前縁部３５ｂと後縁部３５ｃとで囲まれた部分が受液部４０である。
【００６０】
前記受液部４０には、体の排泄部の中心に当てられる中心点Ｏ２を囲む第１の基準マーク５２が設けられ、この基準マーク５２で囲まれた部分が第１の拡散領域５３である。また、前記第１の基準マーク５２の外側に第２の基準マーク５４が設けられ、第１の基準マーク５２と第２の基準マーク５４とで挟まれた部分が第２の拡散領域５５となっている。さらに、前記第２の基準マーク５４の外側に第３の拡散領域５７を挟んで第３の基準マーク５６が形成され、その外側には第４の拡散領域５９を挟んで第４の基準マーク５８が設けられている。
【００６１】
また前記第４の基準マーク５８の外側に、第５の拡散領域６２を挟んで第５の基準マーク６１が設けられている。また、第５の基準マーク６１の外側は外側拡散領域６３である。
【００６２】
また、前記受液部４０では、第１の基準マーク５２で囲まれた領域での液の拡散の度合いの等級を示す第１の等級表示７１が数字「１」で示され、同様に第２の等級表示７２、第３の等級表示７３、第４の等級表示７４、および第５の等級表示７５がそれぞれ数字「２」「３」「４」「５」で示されている。
【００６３】
図４に示す各基準マーク５２，５４，５６，５８，６１および各等級表示７１，７２，７３，７４，７５は、図２と図３に示すのと同様に、吸収層３５と表面シート３４とから成る受液部４０を、加熱し加圧して圧搾部とすることにより形成されている。
【００６４】
図１に示す生理用ナプキン１の基準マーク１２，１４，１６および拡散度の等級表示２１，２２，２３と、図４に示す生理用ナプキン３１の基準マーク５２，５４，５６，５８，６１および拡散度の等級表示７１，７２，７３，７４，７５は、統一された同じ基準に基づいて設けられている。すなわち、図１に示す生理用ナプキン１において、経血が第１の基準マーク１２まで拡散したときの吸収層５での液の吸収量と、図４に示す生理用ナプキン３１において、経血が第１の基準マーク５２まで拡散したときの吸収層３５での液の吸収量とが、同一となっている。このときの液の拡散度の等級は、生理用ナプキン１と生理用ナプキン３１とで、共に「１」である。
【００６５】
同様に、図１の生理用ナプキン１で第２の基準マーク１４まで経血が拡散したときの吸収層５での液の吸収量と、図４に示す生理用ナプキン３１で第２の基準マーク５４まで経血が拡散したときの吸収層３５での液の吸収層も、ほぼ同じである。このときの液の拡散度の等級は、生理用ナプキン１と生理用ナプキン３１の双方において、共に「２」である。これは、等級「３」においても同じである。
【００６６】
また、図１に示す生理用ナプキン１や図４に示す生理用ナプキン３１以外のサイズの生理用ナプキンについても、図１および図２に示したのと同じ基準で、基準マークを設けることが可能である。この基準マークを有するいずれかの生理用ナプキンを着用することにより、使用後の経血の拡散度を確認することができる。これにより、着用者のそれぞれの月経サイクルや体質、または体型や着用時間と、経血の拡散度との関係を知ることができる。このデータを元にそれぞれの体質に応じた健康管理に役立てることができる。
【００６７】
また、図１に示す生理用ナプキン１は、液の拡散度の等級が「３」であり、前記「３」の拡散度を超える経血が与えられると、横洩れの心配が生じる。一方、図４に示す生理用ナプキン３１は、液の拡散度の等級が「４」であり、前記「４」の拡散度を超える経血が与えられると、横洩れの心配が生じる。したがって、そのときの体調や個人の体質に合わせて、前記等級を基準として生理用ナプキンを選べば、前記のような横洩れの不安を解消できる。
【００６８】
例えば図４に示す大型サイズの生理用ナプキン３１を所定時間着用した後に、液の拡散度の等級が「３」であると確認されたときは、その後に同じ体調のときで同じ時間だけ着用するのに適したものは図１に示す生理用ナプキン１であることを認識できる。この場合、その後は図４に示す大型サイズの生理用ナプキン３１を用いる必要がないことが解る。
【００６９】
逆に、図１に示す生理用ナプキン１を所定時間着用した後に、経血が第３の基準マーク１６を越えて外側拡散領域１８に広く拡散していたことを確認できた場合には、その後に、同じ体調のときで同じ時間着用するときに、図１に示す生理用ナプキン１を選択するのは最適ではなく、図４に示す生理用ナプキン３１を選択するのが好ましいことを理解できる。
【００７０】
また、基準マークを有する前記生理用ナプキン１または前記生理用ナプキン３１、あるいは統一された基準マークを採用している他の生理用ナプキンを一定期間着用して、月経サイクルや体質と液の拡散度との関係、または着用時間と前記液の拡散度との関係などを知った後は、必ずしも前記基準マークを備えた生理用ナプキンを使用する必要はなく、拡散度の等級が明確でありさえすれば基準マークを備えていない生理用ナプキンであっても、最良の選択が可能となる。
【００７１】
例えば、拡散度の等級が「３」の生理用ナプキンを使用したいと思ったときには、図１に示すのと同じサイズのものを選択すればよく、このときに使用する生理用ナプキンには基準マーク１２，１４，１６や等級表示２１，２２，２３が設けられていなくてもよい。
【００７２】
図５は生理用ナプキンの収納体８０を示す斜視図である。生理用ナプキンは２つの折り線で折り畳まれ、または３つの折り線で折り畳まれた状態で個々の生理用ナプキンが個別に包装されている。そしてこの個別包装体が複数個重ねられ、樹脂フィルムなどで形成された包装フィルム８１で包装されて、前記収納体８０が形成されている。
【００７３】
前記収納体８０では、包装シート８１の表面に、意匠、商品名、デザインマークなどと共に、商品説明表示８２が印刷されている。前記商品説明表示８２に、生理用ナプキンの種別を意味する説明文８２ａが含まれている。図５に示す例では、この説明文８２ａが、ウイング部を有する生理用ナプキンが収納されていることを意味する「羽根つき」の文字、および、収納されている生理用ナプキンの吸収体が薄型であることを意味する「スリム」の文字を有している。
【００７４】
さらに、前記商品説明表示８２には、生理用ナプキンの受液部での液の拡散度の等級を意味する識別表示８２ｂが含まれている。図５に示すものでは、生理用ナプキンの経血の拡散度の等級が「２」であることが説明されている。
【００７５】
さらに、図５に示す収納体８０では、内部に収納されている生理用ナプキンが図１や図４に示すのと同じ基準マークを有するものであることを示す表示８３が印刷されている。
【００７６】
ただし、本発明の実施の形態では、前記収納体に、前記基準マークと等級表示を有しない生理用ナプキンのみが収納されている場合であっても、商品説明表示８２の中に、生理用ナプキンの液の拡散度合いの等級を意味する識別表示８２ｂが印刷されている。この場合、前記識別表示８２ｂと共に「基準マークつきの生理用ナプキンを使用して拡散度を確認してください。」などの説明文が印刷されていることが好ましい。
【００７７】
また、収納体８０の内部に収納されている複数の生理用ナプキンのうちの１個または数個のみ前記基準マークおよび等級表示を有するものであり、それ以外は基準マークおよび等級表示の双方を有しない生理用ナプキンが収納されているものであってもよい。
【００７８】
また、同じ商品名の生理用ナプキンには、吸収体の大きさや吸収体の厚みに応じて複数種のグレードが製品として販売されていることが多い。このような場合、各グレードの生理用ナプキンを収納した収納体の外面などに、図６（Ａ）に示すような、製品のグレードと液の拡散度の等級との関係の表示８５が印刷されていることが好ましい。
【００７９】
図６（Ａ）に示す表示８５では、吸収体の縦方向の長さが「小」「中」「大」で区分され、さらに吸収層の厚みが「スリム」「普通」「厚」の３種類に細分化されている。なお図６（Ａ）は、吸収体の長さが「小」で厚みが「スリム」の製品は存在せず、商品のグレードが８種類である場合を示している。前記表示８５では、各製品のグレードごとの液の拡散度の等級が「１」「２」…「５」で示されている。図１または図４に示すような基準マークを有する生理用ナプキンを一定期間使用して、月経サイクルや着用時間などと、液の拡散度との関係を知った後は、前記表示８５を参照することで、常に使用に適した商品を選択することができるようになる。
【００８０】
前記の液の拡散度に関する等級は、タンポンとの併用型ナプキンにも同様に適用することができる。タンポンを使用しているときに、薄型のナプキンを着用すると、膣口から洩れる経血をこの薄型のナプキンで吸収することができる。このタンポン併用型のナプキンに、図１と図４に示したのと同様の基準マークや等級表示を設けておけば、その後の拡散度の等級に応じて商品を選択することができる。
【００８１】
図６（Ｂ）には、タンポン併用型のナプキンの収納体に付する表示８６を例示している。この表示８６ではタンポン併用型のナプキンとして、吸収体の長さが「小」「中」「大」の３種類で、吸収層の厚みが「スリム」「普通」「厚」の３種類に細分された合計９種類のグレードの製品が存在する場合を示している。そして、それぞれのグレードの製品の液の拡散度の等級を「Ａ」「Ｂ」…「Ｄ」で表示している。図１に示す前記基準マーク１２，１４，１６や等級表示２１，２２，２３と同種の表示をタンポン併用型のナプキンに設けておき、この表示のあるナプキンを所定期間使用することによって、月経サイクルや着用期間と、液の拡散状態との関係を知ることができる。その後は、図６（Ｂ）に示す表示８６を参照して商品を選択することで常に最適な状態でタンポン併用型のナプキンを使用することができるようになる。
【００８２】
また、前記生理用ナプキンまたはタンポン併用型ナプキンの受液部に設けられる前記基準マークおよび等級表示は、表面側から目視できるものであればどのような形態のものであってもよい。
【００８３】
図７に示す生理用ナプキン１Ａでは、第１の基準マーク１２ａ、第２の基準マーク１４ａ、および第３の基準マーク１６ａが、一定の面積を囲む破線の輪郭線となっている。この破線の輪郭線は、表面シート４と吸収層５からなる受液部１０を加熱・加圧して圧搾部とすることにより形成されている。
【００８５】
また、前記数字による等級表示２１，２２，２３および７１，７２，７３，７４，７５は必須ではなく、前記等級表示が設けられていなくても、第１の基準マーク１２，１２ａ，５２の内側が第１の拡散領域で、その外側が第２の拡散領域であることを認識可能である。
【００８６】
また、表面シート４または３４にデザインエンボスのパターンを形成し、第１の拡散領域１３，５３、第２の拡散領域１５，５５、第３の拡散領域１７，５７などの拡散領域ごとに、表面側から目視できる模様を異ならせてもよい。例えば第１の拡散領域を花柄模様、第２の拡散領域を葉模様などとしてもよい。このように拡散領域ごとに模様のデザインを異ならせることにより、拡散領域を識別しやすくなる。
【００８７】
参考例として図８に示す生理用ナプキン１０１は、生理用ナプキンとしての基本的な構造は図１および図７に示すものと同じであるが、全体の寸法が図１および図７に示すものよりもわずかに小さくなっている。
【００８８】
前記生理用ナプキン１０１の表面側では、カバーシート６，６の対向縁部６ｂと６ｂとの間で、且つ吸収層５Ｄが設けられた範囲が受液部１１０である。この受液部１１０では、中央部分の第１の拡散領域１３ａ、その外側の第２の拡散領域１５ａ、その外側の外部拡散領域１７ａとで、表面から目視できる色彩が相違している。例えば第１の拡散領域１３ａが赤またはピンク、第２の拡散領域１５ａがブルー、外側拡散領域１７ａがオレンジ色である。
【００８９】
そして赤またはピンクと、ブルーとの境界となる輪郭線が第１の基準マーク１２ｂであり、ブルーとオレンジ色との境界となる輪郭線が第２の基準マーク１４ｂである。前記第１の基準マーク１２ｂと第２の基準マーク１４ｂの部分に、図２に示すような圧搾部が形成されていてもよいし、圧搾部が形成されていなくてもよい。
【００９０】
前記各拡散領域での色彩は、不織布または液透過孔を有する樹脂フィルムに直接着色してもよいし、または、オレンジに着色された吸収層の上に、第２の拡散領域１５ａの大きさのブルーに着色された吸収層を重ね、さらにその上に第１の拡散領域１３ａの大きさの赤またはピンクに着色された吸収層を重ねて、その上を覆う表面シートを透視して前記オレンジ、ブルー、赤またはピンクを目視できるようにしてもよい。
【００９２】
図９は参考例を示す斜視図である。
図９に示す吸収性物品は、ナプキン本体１２０と確認シート１３０とから構成されている。ナプキン本体１２０は、図１に示す生理用ナプキン１と基本的構造が同じである。ナプキン本体１２０はカバーシート６，６の対向縁部６ｂと６ｂとで挟まれた範囲で且つ吸収層５の前縁部５ｂと後縁部５ｃとで囲まれた範囲が受液部１２１であるが、この受液部１２１には、図１に示すような基準マーク１２，１４，１６および等級表示２１，２２，２３が付されていない。
【００９３】
前記確認シート１３０は、透明フィルムなどのような透視可能なシート材料で形成されており、その大きさは前記受液部１２１に一致している。または確認シート１３０の外形寸法は、ナプキン本体１２０の外形形状に一致している。そして、確認シート１３０には、第１の基準マーク１３１、第２の基準マーク１３２および第３の基準マーク１３３が印刷されており、また第１の等級表示１３４、第２の等級表示１３５および第３の等級表示１３６が印刷されている。
【００９４】
ナプキン本体１２０を所定時間着用した後に、前記確認シート１３０をナプキン本体１２０の表面に重ね、受液部１２１での液の拡散状態と基準マーク１３１，１３２，１３３とを対比することで、液の拡散度の等級を知ることができる。
【００９５】
前記確認シート１３０に付された基準マーク１３１，１３２，１３３は、図１に示すように吸収性物品の受液部１０に設けられた基準マーク１２，１４，１６と統一した基準で形成されている。よって、図１や図４に示す生理用ナプキン１，３１と、図９に示すナプキン本体１２０とで、同じ量の液が与えられたときは、同じ拡散度の等級を確認できるようになっている。
【００９６】
この場合、１枚の前記確認シート１３０と、１個のナプキン本体１２０とが一緒に包装されて個別包装体とされていてもよいし、あるいは図５に示すような前記個別包装体が複数個一緒に包装された収納体においては、例えば複数のナプキン本体１２０に対して１枚の確認シート１３０が一緒に収納されてもよい。
【００９７】
また、前記基準マークは図１に示すように一定の範囲を囲む輪郭線を形成するものに限られず、例えば図１に示す生理用ナプキン１の受液部１０において、横方向（Ｘ方向）に直線的に延びる短い基準マーク、または横方向に向けて延びる湾曲した短い基準マークが、縦方向（Ｙ方向）に間隔を開けて複数設けられているものであってもよい。
【００９８】
なお本発明の吸収性物品は、生理用ナプキンに限られず、おりもの吸収シート、尿取りパッド、使い捨ておむつなどであってもよい。本発明の基準マークを設けることにより、厚さの相違するおりもの吸収シートを、着用時間や体調に合わせて選択できるようになる。また尿取りパッドや使い捨ておむつも、体型や年齢、体質に応じたものを選択できるようになる。
【００９９】
前記おりもの吸収シートの場合には、受液部でのおりものの拡散を目視で確認しやすいように、前記受液部を黒色や紺色にして、おりものの色彩とのコントラストを明瞭にすることが好ましい。
【０１０１】
【発明の効果】
以上のように本発明の吸収性物品を使用すると、体質や体調により相違する液の排出量を着用後に直ちに知ることができ、体調管理などに役立てることができる。また次に使用する吸収性物品を適切に選択できるようになる。
【０１０２】
また本発明の吸収性物品の収納体では、基準マークを有する吸収性物品を使用して排泄量を知ることができた後に、識別表示を参照して吸収性物品を選択することにより、常に使用に適した製品を着用できるようになる。
【図面の簡単な説明】
【図１】本発明の吸収性物品の一例として普通サイズの生理用ナプキンを示す平面図、
【図２】図１のＩＩ−ＩＩ線の断面図、
【図３】図１のＩＩ−ＩＩ線の他の構造を示す断面図、
【図４】本発明の吸収性物品の一例として大型サイズの生理用ナプキンを示す平面図、
【図５】生理用ナプキンの収納体の一例を示す斜視図、
【図６】（Ａ）（Ｂ）は、前記収納体の識別表示の一例を示す説明図、
【図７】本発明の吸収性物品の他の例を示す平面図、
【図８】  吸収性物品の参考例を示す平面図、
【図９】  吸収性物品の参考例を示す斜視図、
【符号の説明】
１  普通サイズの生理用ナプキン
３  防漏シート
４  表面シート
５  吸収層
６  カバーシート
１０  受液部
１２  第１の基準マーク
１３  第１の拡散領域
１４  第２の基準マーク
１５  第２の拡散領域
１６  第３の基準マーク
１７  第３の拡散領域
３１  大型サイズの生理用ナプキン
３４  表面シート
３５  吸収層
４０  受液部
５２  第１の基準マーク
５３  第１の拡散領域
５４  第２の基準マーク
５５  第２の拡散領域
５６  第３の基準マーク
５７  第３の拡散領域
５８  第４の基準マーク
５９  第４の拡散領域
６１  第５の基準マーク
６２  第５の拡散領域
８０  収納体
８２ｂ  識別表示
１２０  ナプキン本体
１２１  受液部
【図１】
0003971150.tif 000002
【図２】
0003971150.tif 000003
【図３】
0003971150.tif 000004
【図４】
0003971150.tif 000005
【図５】
0003971150.tif 000006
【図６】
0003971150.tif 000007
【図７】
0003971150.tif 000008
【図８】
0003971150.tif 000009
【図９】
0003971150.tif 000010